【手続補正書】
【提出日】平成16年2月9日(2004.2.9)
【手続補正１】
【補正対象書類名】明細書
【補正対象項目名】特許請求の範囲
【補正方法】変更
【補正の内容】
【特許請求の範囲】
【請求項１】
第１の基板と、
該第１の基板に対向して設けられた第２の基板と、
前記第１の基板にマトリクス状に配置された複数の画素電極を備えた反射型液晶装置であって、
前記第１の基板の前記画素電極が形成された層よりも下層に、各画素毎に形成され、階調データを構成する複数のビットを保持する階調データ保持手段と、
前記データ保持手段に保持された複数ビットにより規定される階調データに対応する、前記各画素を駆動するためのパルス信号をパルス変調により生成するパルス幅変調手段と、
前記パルス幅変調手段により生成されたパルス信号に従って、前記各画素を駆動するための電圧を該画素に供給する電圧供給手段とを備えることを特徴とする反射型液晶装置。
【請求項２】
前記パルス幅変調手段は、一走査期間内で昇順または降順に並べられた最低階調から最高階調までの階調データと前記階調データ保持手段に保持された前記階調データとの一致を検出したとき、前記パルス信号の極性を切り換えることを特徴とする請求項１に記載の反射型液晶装置。
【請求項３】
前記パルス幅変調手段は、一走査期間での前記画素の駆動を規定する、最低階調から最高階調までの階調データであって前記一走査期間の後縁側又は前縁側を基準としてオン期間またはオフ期間が連続する前記階調データと、前記階調データ保持手段に保持された前記階調データとの一致を検出したとき、前記パルス信号の極性を切り換えることを特徴とする請求項１に記載の反射型液晶装置。
【請求項４】
前記階調データ保持手段は、スイッチング素子を用いて形成されたスタティックＲＡＭ（ＳＲＡＭ）あるいはダイナミックＲＡＭ（ＤＲＡＭ）であることを特徴する請求項１乃至請求項３のいずれかに記載の反射型液晶装置。
【請求項５】
前記階調データ保持手段は、スイッチング素子を用いて形成され、クロック信号に同期して動作するラッチ回路であることを特徴する請求項１乃至請求項３のいずれかに記載の反射型液晶装置。
【請求項６】
請求項１乃至請求項５のいずれかに記載の反射型液晶装置を備えたことを特徴とする反射型プロジェクタ。
【手続補正２】
【補正対象書類名】明細書
【補正対象項目名】００１６
【補正方法】変更
【補正の内容】
【００１６】
【課題を解決するための手段】
上記した課題を解決すべく、本発明に係る反射型液晶装置は、第１の基板と、該第１の基板に対向して設けられた第２の基板と、前記第１の基板にマトリクス状に配置された複数の画素電極を備えた反射型液晶装置であって、前記第１の基板の前記画素電極が形成された層よりも下層に、各画素毎に形成され、階調データを構成する複数のビットを保持する階調データ保持手段と、前記データ保持手段に保持された複数ビットにより規定される階調データに対応する、前記各画素を駆動するためのパルス信号をパルス変調により生成するパルス幅変調手段と、前記パルス幅変調手段により生成されたパルス信号に従って、前記各画素を駆動するための電圧を該画素に供給する電圧供給手段とを備えることを特徴とする。
また、本発明に係る反射型液晶装置は、第１の基板と、光透過性を有し該第１の基板に対向して設けられた第２の基板と、前記第１の基板にマトリクス状に設けられる反射型の画素電極と、前記第１の基板と前記第２の基板の間に挟持された液晶とを備えた反射型液晶装置であって、前記第２の基板上の前記画素電極が形成された層よりも下層に、前記各々の画素毎に形成され、複数ビットの階調データを保持する階調データ保持手段と、前記データ保持手段に保持された複数ビットの階調データに基づいて、各々の画素の一走査期間におけるオンまたはオフ期間をパルス幅の大きさとして変調するパルス幅変調手段と、前記パルス幅変調手段により変調されたパルス信号に基づいて、前記画素電極にオン電圧またはオフ電圧を供給する電圧供給手段と、前記画素毎に画像信号に基づく前記階調データを保持させる階調データ書き込み制御手段とを備えることを特徴とする。


【手続補正３】
【補正対象書類名】明細書
【補正対象項目名】００１７
【補正方法】変更
【補正の内容】
【００１７】
本発明に記載の反射型液晶装置によれば、外部から画像信号が供給されると、階調データ書き込み制御手段により、当該画像信号に基づいて各々の画素の階調データ保持手段に対して書き込み制御信号が出力される。これにより、各々の画素の階調データ保持手段においては、前記出力された書き込み制御信号に基づいて複数ビットの階調データが保持される。従って、各々の画素における階調データの値が異ならない限り、一旦階調データを保持させれば、この保持させた階調データに基づいて画素電極にオン電圧またはオフ電圧が供給されることになり、各走査期間毎に各画素において階調データを書き換える必要がなくなる。


【手続補正４】
【補正対象書類名】明細書
【補正対象項目名】００１９
【補正方法】変更
【補正の内容】
【００１９】
また、本発明に係る反射型液晶装置は、上記の反射型液晶装置において、前記パルス幅変調手段は、一走査期間内で昇順または降順に並べられた最低階調から最高階調までの階調データと前記階調データ保持手段に保持された前記階調データとの一致を検出したとき、前記パルス信号の極性を切り換えることを特徴とする。
また、本発明に係る反射型液晶装置は、上記の反射型液晶装置において、前記パルス幅変調手段は、前記各々の画素毎に形成された階調表示回路と、全ての画素に対して共通に設けられた表示制御回路とを備え、前記階調表示回路は、前記表示制御回路から供給されるタイミングデータと前記階調データ保持手段に保持されたデータとの一致を検出し、一致検出時に自己の出力信号の極性を切り換える一致検出回路と、該一致検出回路の出力信号を保持する出力信号保持回路とを備え、前記表示制御回路は、前記各々の階調表示回路に対し、前記タイミングデータとして、最低階調から最高階調までの階調データを、一走査期間内に昇順または降順に出力する回路を備えることを特徴とする。


【手続補正５】
【補正対象書類名】明細書
【補正対象項目名】００２０
【補正方法】変更
【補正の内容】
【００２０】
本発明に記載の反射型液晶装置によれば、表示制御回路から、各々の階調表示回路に対し、最低階調から最高階調までの階調データが、タイミングデータとして一走査期間内に昇順または降順に出力されると、各画素毎に設けられた階調表示回路においては、一致検出回路により、各画素毎に設けられた階調データ保持手段に保持されたデータと、前記一走査期間内に昇順または降順に出力される階調データとが一致するか否かが判断される。そして、一致が検出された際には、一致検出回路の出力信号の極性が切り換えられ、出力信号保持回路によりこの出力信号はこの極性で保持されることになる。従って、各々の画素において、一走査期間の開始時における極性の初期状態を、前記出力信号保持回路によって保持される信号の極性と反対の極性に設定しておくことにより、前記一致検出回路による出力信号の極性の切り換えから、次の走査期間の開始時の初期状態への切り換えにより、あるいはこの初期状態への切り換えから、前記一致検出回路による出力信号の極性の切り換えにより、前記出力信号保持回路によって保持される出力信号はパルス信号として出力されることになる。また、前記タイミングデータは、最低階調から最高階調までの階調データが、一走査期間内に昇順または降順に出力されるデータであるから、上述のようにして出力されるパルス信号のオン期間あるいはオフ期間は、その前縁または後縁を、一走査期間の前縁または後縁を基準とし、オン期間またはオフ期間が連続するパルス信号となる。従って、一走査期間が短くなり、高い周波数で表示を行う場合でも、液晶に与える電圧の切り換え回数を減少させることができ、波形のなまりによる実効電圧の低下を防止して、正確な階調表示を行うことができる。


【手続補正６】
【補正対象書類名】明細書
【補正対象項目名】００２１
【補正方法】変更
【補正の内容】
【００２１】
また、本発明に係る反射型液晶装置は、上記の反射型液晶装置において、前記パルス幅変調手段は、一走査期間での前記画素の駆動を規定する、最低階調から最高階調までの階調データであって前記一走査期間の後縁側又は前縁側を基準としてオン期間またはオフ期間が連続する前記階調データと、前記階調データ保持手段に保持された前記階調データとの一致を検出したとき、前記パルス信号の極性を切り換えることを特徴とする。
また、本発明に係る反射型液晶装置は、上記の反射型液晶装置において、前記パルス幅変調手段は、前記各々の画素毎に形成された階調表示回路と、複数の画素に対して共通に設けられた表示制御回路とを備え、前記階調表示回路は、前記表示制御回路から供給されるタイミングデータと前記階調データ保持手段に保持されたデータとの一致を検出し、一致検出時に自己の出力信号の極性を切り換える一致検出回路を備え、前記表示制御回路は、前記各々の階調表示回路に対し、前記タイミングデータとして、最低階調から最高階調までの階調データを、一走査期間内におけるオン期間またはオフ期間として表したパルス信号であって、該一走査期間の後縁側をオン期間またはオフ期間の後縁の基準とし、あるいは前記一走査期間の前縁側をオン期間またはオフ期間の前縁の基準として、オン期間またはオフ期間が連続するパルス信号を出力する回路を備えることを特徴とする。


【手続補正７】
【補正対象書類名】明細書
【補正対象項目名】００２２
【補正方法】変更
【補正の内容】
【００２２】
本発明に記載の反射型液晶装置によれば、表示制御回路から、各々の階調表示回路に対し、タイミングデータとしてのパルス信号が出力されると、各画素毎に設けられた階調表示回路においては、一致検出回路により、各画素毎に設けられた階調データ保持手段に保持されたデータと、前記タイミングデータとが一致するか否かが判断される。一致が検出された際には、一致検出回路の出力信号の極性が切り換えられるが、前記タイミングデータは、上述のようにパルス信号であるから、このパルス信号のオン期間においては連続して前記一致が検出されることになる。つまり、前記一致の検出により極性が切り換えられた出力信号は、パルス信号のオン期間中においてその極性で保持される。


【手続補正８】
【補正対象書類名】明細書
【補正対象項目名】００２５
【補正方法】変更
【補正の内容】
【００２５】
また、本発明に係る反射型液晶装置は、上記の反射型液晶装置において、前記階調データ保持手段は、スイッチング素子を用いて形成されたスタティックＲＡＭ（ＳＲＡＭ）あるいはダイナミックＲＡＭ（ＤＲＡＭ）であることを特徴する。


【手続補正９】
【補正対象書類名】明細書
【補正対象項目名】００２６
【補正方法】変更
【補正の内容】
【００２６】
本発明に記載の反射型液晶装置によれば、階調データ保持手段は、各々の画素においてスイッチング素子を用いて形成されたスタティックＲＡＭ（ＳＲＡＭ）あるいはダイナミックＲＡＭ（ＤＲＡＭ）である。従って、液晶装置の高解像度化等に伴い、画素電極の小型化が図られた場合でも、階調データ保持手段を画素電極の下層に確実に作り込むことができ、容易に多ビット化することができる。


【手続補正１０】
【補正対象書類名】明細書
【補正対象項目名】００２７
【補正方法】変更
【補正の内容】
【００２７】
また、本発明に係る反射型液晶装置は、上記の反射型液晶装置において、前記階調データ保持手段は、スイッチング素子を用いて形成され、クロック信号に同期して動作するラッチ回路であることを特徴する。


【手続補正１１】
【補正対象書類名】明細書
【補正対象項目名】００２８
【補正方法】変更
【補正の内容】
【００２８】
本発明に記載の反射型液晶装置によれば、階調データ保持手段は、各々の画素においてスイッチング素子を用いて形成され、クロック信号に同期して動作するラッチ回路である。従って、クロック信号を制御するだけで容易に階調データを保持させることができる。


【手続補正１２】
【補正対象書類名】明細書
【補正対象項目名】００２９
【補正方法】変更
【補正の内容】
【００２９】
また、本発明に係る反射型プロジェクタは、上記した反射型液晶装置を備えることを特徴とする。


【手続補正１３】
【補正対象書類名】明細書
【補正対象項目名】００３０
【補正方法】変更
【補正の内容】
【００３０】
本発明に記載の反射型プロジェクタによれば、反射型プロジェクタは、上述した本願発明の反射型液晶装置を備えており、正確な階調表示を容易に行うことのできる反射型液晶装置により、高品質な画像表示を行うことができる。